(57)【要約】【課題】単純な作業で消毒を行なうことのできる消毒器具の提供。【解決手段】消毒液を含浸させた綿球２２を一端に有する２本の消毒用綿棒２０を、非透過性材料製袋１２内に密閉収納して成る消毒液含浸綿棒パッケージ１０。綿球とは反対側の袋部分を袋の縦方向中心線に沿う境界帯域Ｅで２室に区画している。境界帯域Ｅには、全長に亘って直線状破断容易部１８が形成されている。袋の破断は、綿棒の長さ方向において綿球とは反対側に偏った箇所で横断方向１４，１６および破断容易部１８に沿って行なう。各綿棒の掴み部２４を覆う袋部分を、袋本体から分断した状態になし、各綿棒の掴み部を袋ごと把持して、袋本体から綿棒を取り出して使用する。【選択図】図１
0003108166.tif 000002
【実用新案登録請求の範囲】
【請求項１】
一回の消毒処置に必要な量の消毒液を含浸させた状態の綿球（２２）を一端にのみ具備する消毒用綿棒（２０）が、非通気性かつ不透液性の材料で形成された袋内に密閉収納されて成り、綿棒（２０）の長さ方向に対して直角方向すなわち横方向で袋（１２）を破断して、綿棒（２０）を袋（１２）から取り出して使用するようになっている消毒液含浸綿棒パッケージ（１０）において、
前記袋（１２）内に収納された前記綿棒（２０）が２本であって、該２本の綿棒（２０）は、それらの一端に付された前記綿球（２２）が互いに隣り合う位置関係すなわち同方向姿勢で前記袋（１２）内に収納されており、
前記袋（１２）の前記横方向破断位置が、前記綿棒（２０）の長さ方向において前記綿球（２２）とは反対側に偏った箇所で、破断後に、前記綿球（２２）とは反対側の前記綿棒（２０）の掴み部（２４）を破断された袋ごと持って前記綿棒（２０）を取り扱い得るような位置関係にあり、この横方向破断位置には、前記袋の側縁に切り口（１４，１６）が形成されており、
また、前記綿球（２２）とは反対側の前記袋（１２）の端縁と前記横方向破断位置との間で、前記袋（１２）の内部が２室に区画され、各室内にそれぞれ前記綿棒（２０）の掴み部（２４）が位置しており、前記２室を区画する境界帯域（Ｅ）が、前記袋（１２）の向かい合う内壁同士を液密に接合することによって形成され、さらに、前記境界帯域（Ｅ）の幅範囲内で、前記綿球（２２）とは反対側の前記袋（１２）の端縁から前記横方向破断位置に至る直線状破断容易部（１８）が形成されていることを特徴とする消毒液含浸綿棒パッケージ。
【請求項２】
前記袋（１２）が、熱可塑性樹脂材料製被膜を片面全体に付したアルミニウム箔で形成され、前記被膜が前記袋（１２）の内壁を形成していることを特徴とする請求項１に記載された消毒液含浸綿棒パッケージ。
【請求項３】
前記袋（１２）の内室が、前記綿球（２２）の位置する側の端部に向って小容積になるように形成されていることを特徴とする請求項１または請求項２に記載された消毒液含浸綿棒パッケージ。
【考案の詳細な説明】
【技術分野】
【０００１】
本考案は、医療機関等で使用される消毒用綿棒のパッケージ（包装体）に関するものである。
【背景技術】
【０００２】
医療機関等で、例えば、手術部位の皮膚または粘膜の消毒、皮膚または粘膜の創傷部位の消毒、熱傷皮膚面の消毒、感染皮膚面の消毒等の各種消毒を行なうに当り、従来にあっては、瓶等の容器に収容された消毒液中に、ピンセットで把持した脱脂綿、ガーゼ等を漬し、あるいはまた、先端に綿球を有する綿棒を漬して、前記消毒を行なっていた。
【考案の開示】
【考案が解決しようとする課題】
【０００３】
しかしながら、斯かる従来の方法では、消毒作業者が、消毒液を収容する容器を常に携帯し、消毒作業ごとに蓋の開閉を行ない、また、滅菌状態で個別に保管されたピンセット、脱脂綿、ガーゼ、または、綿棒を、汚染のないように注意を払いながら取り扱う必要があり、作業が煩雑で、作業性が悪いという不都合があった。また、容器中の消毒液に、ピンセットで把持した脱脂綿、ガーゼ等を漬し、あるいはまた、綿棒を漬す作業を反復するのは、消毒液の汚染防止という観点で好ましくない。
【０００４】
本考案の目的は、消毒作業に用いる器具等の洗浄、消毒、滅菌、あるいは、消毒液の維持、管理または調合等の煩雑な作業を省き、単純な作業で消毒を行なうことのできる消毒器具を提供することである。
【課題を解決するための手段】
【０００５】
かかる目的の下で、本考案によれば、以下の構成を有する消毒液含浸綿棒パッケージが提供される。
一回の消毒処置に必要な量の消毒液を含浸させた状態の綿球を一端にのみ具備する消毒用綿棒が、非通気性かつ不透液性の材料で形成された袋内に密閉収納されて成り、綿棒の長さ方向に対して直角方向すなわち横方向で袋を破断して、綿棒を袋から取り出して使用するようになっている消毒液含浸綿棒パッケージにおいて、
前記袋内に収納された前記綿棒が２本であって、該２本の綿棒は、それらの一端に付された前記綿球が互いに隣り合う位置関係すなわち同方向姿勢で前記袋内に収納されており、
前記袋の前記横方向破断位置が、綿棒の長さ方向において綿球とは反対側に偏った箇所で、破断後に、綿球とは反対側の綿棒の掴み部を破断された袋ごと持って綿棒を取り扱い得るような位置関係にあり、この横方向破断位置には、前記袋の側縁に切り口が形成されており、
また、綿球とは反対側の前記袋の端縁と前記横方向破断位置との間で、前記袋の内部が２室に区画され、各室内にそれぞれ綿棒の掴み部が位置しており、前記２室を区画する境界帯域が、前記袋の向かい合う内壁同士を液密に接合することによって形成され、さらに、前記境界帯域の幅範囲内で、綿球とは反対側の前記袋の端縁から前記横方向破断位置に至る直線状破断容易部が形成されている消毒液含浸綿棒パッケージ。なお、境界帯域を液密接合（シーリング）で形成した理由は、境界帯域に直線状破断容易部（例、ミシン目）を形成した時の袋内からの液漏れを防ぐ（すなわち、袋内室の密閉性を保持する）ためである。
【０００６】
前記消毒液含浸綿棒パッケージは、以下の形態で提供可能である。
（１）前記袋が、熱可塑性樹脂材料製被膜を片面全体に付したアルミニウム箔で形成され、前記被膜が前記袋の内壁を形成している消毒液含浸綿棒パッケージ。
（２）前記袋の内室が、綿球の位置する側の端部に向って小容積になるように形成されている消毒液含浸綿棒パッケージ。
【０００７】
消毒液含浸綿棒パッケージの使用態様は以下のとおりである。
（１）消毒液含浸綿棒パッケージの綿棒を用いて患者の皮膚または粘膜を消毒するに際しては、同時に２本の綿棒を使って消毒処置を施すことはない点に留意すべきである。そこで、２本の綿棒のうちの１本のみを前記袋から取り出すには、前記境界帯域に設けた直線状破断容易部を利用して、綿球とは反対側の前記袋の端縁側から前記横方向破断位置まで前記袋を縦方向に破断する。次いで、その破断終点位置と、綿棒の長さ方向において綿球とは反対側に偏った箇所で、前記袋の側縁にある切り口とを起点として、前記袋の一部を横方向に破断して、前記袋の内部で区画された２室のうちの１室に相当する袋部分を、袋の残部から分離する。注意点は、この袋破断作業の間、綿棒の綿球が下側にあり、袋の破断側が上側になるように、前記袋を縦姿勢にして破断することである。これは、綿球に含浸されていない自由な消毒液が外部に漏れ出さないようにするためである。
（２）破断対象となった前記１室内には、１本の綿棒の掴み部が位置しており、この掴み部を露出させることなく、破断された袋部分ごと、綿棒の掴み部を保持して、その綿棒を前記袋から取り出す。
（３）そして、綿棒の掴み部を、破断した袋ごと持って、患者に対する消毒処置を施す。袋ごと持つことの利点は、消毒液で濡れた綿棒の掴み部を直接保持せずともよい点である。
（４）一方、残る１本の綿棒は、依然として前記袋内にあり、次の消毒処置を始めるまで、綿球を含む綿棒全体の汚染が防止される。
（５）残りの綿棒を使用する際には、前記横方向破断位置で、残る１室に相当する袋部分を横方向に破断し、綿棒の掴み部を破断した袋ごと持って、消毒液で手を濡らすことなく、前記袋から綿棒を取り出し、患者に対する消毒処置を施す。
【考案の効果】
【０００８】
本考案の消毒液含浸綿棒パッケージによれば、以下の利点が得られる。
前記のとおり、本考案の消毒液含浸綿棒パッケージを用いた場合、容器入り消毒液、ピンセット、ガーゼ、綿球容器あるいは綿棒容器等を用意する必要がなく、消毒処置時に必要な２本の消毒液含浸綿棒を便利に使用でき、消毒作業が単純化されて、作業能率が向上し、しかも、常に、最善の状態にある汚染のない消毒用綿棒で万全の消毒処置を患者に施すことができる。
以下、図示例について説明する。
【実施例】
【０００９】
図１は、本考案の一実施例に係わる消毒液含浸綿棒パッケージ１０を縦姿勢で見た正面図である。
消毒液含浸綿棒パッケージ１０は、矩形の袋１２と、その内部に収納された２本の綿棒２０とで構成されている。概略的に述べると、袋１２は、アルミニウム箔の一面に熱可塑性樹脂被膜を施した多層積層体シートを、熱可塑性樹脂被膜側が互いに向き合うよう態様で重ね合わせて、周辺部分を加熱加圧して樹脂被膜を接合材として密封したものである。
【００１０】
好適例によれば、袋１２の素材は、当初、Ｃ辺で連続する一枚の長尺矩形シートである。この長尺矩形シートを、熱可塑性樹脂被膜側が内側になるように、Ｃ辺相当部分で折曲して重ね合わせ体になし、先ず、Ａ辺、Ｂ辺のみを加熱加圧して密封する（この密封帯域を示すために袋１２の周辺に沿って付した一点鎖線参照）。この状態では、Ｄ辺のみが開放されている。
なお、Ａ、Ｂ辺に沿う密封接合（加熱シーリング）は、直線的ではなく、Ｃ辺側の両角隅領域の袋壁を、図中、それぞれ３角形状に加熱加圧して接合一体化させた形状になされている（Ａ、Ｂ辺に沿う一点鎖線が、Ｃ辺に向って途中から内側に傾斜している）。この特別な密封接合は、袋１２の下辺領域で、Ｃ辺に向って内室容積が小さくなるようにしたものである。ただし、狭められた内室に綿球２２が十分収められる程度の内容積を確保しなければならない。
【００１１】
次いで、好適には、開放状態にあるＤ辺を通じて、袋１２内に、滅菌処理を施された２本の綿棒２０を綿球２２側から挿入する。この時、袋１２の下辺領域で、Ｃ辺に向って内室容積が小さくなるようにＡ、Ｂ辺に沿う密封帯域が形成されているので、２つの綿球２２が互いに近接する状態になっている。袋１２内への綿棒２０の挿入後に、２本の綿棒２０の各綿球２２に一回の消毒処置に必要な量の消毒液を含浸させるに足る量の消毒液（すなわち、２つの綿球であるから、２回分の量の消毒液）を、Ｄ辺側を上にした縦姿勢の袋１２内に注入する。
この後、２本の綿棒２０の掴み部２４が互いに大きく離隔する状態にして（２本の綿棒２０が全体としてＶ字状になる）、両掴み部２４を隔てる境界帯域Ｅを設ける。境界帯域Ｅは、幅ｔを有し、Ｄ辺の端縁から、袋１２の概ね幅中心線に沿って所定の長さ範囲に亘って形成される。その形成は、相対する袋壁を公知の加熱加圧用シーリング手段で挟み、加熱加圧作用で袋壁内面の熱可塑性樹脂被膜を溶融接合することによって行なうことができる。境界帯域Ｅは、袋１２の内室を、上部領域（Ｄ辺側）で左右２室（図示状態）に区画し、各区画室内に各綿棒２０の掴み部２４が位置する。また、境界帯域Ｅの全長に亘り、その幅中央に直線状破断容易線（例、ミシン目）１８が付される。
【００１２】
Ｄ辺の密封は、袋１２内の空気を排除した状態で、境界帯域Ｅの形成と同時に、または、その後に、これを行なう。
【００１３】
また、Ａ、Ｂ辺の長さ中央よりもＤ辺側に偏位した箇所で、横方向切断用の切り口（切り欠き）１４、１６が、各辺縁に形成されている。切り口１４、１６の形成位置は、Ａ、Ｂ辺の長さ方向（袋の縦方向）で互いに整合し、また、境界帯域Ｅの末端位置とも整合する。
【００１４】
本考案の消毒液含浸綿棒パッケージ１０は、前記のように構成されており、以下、その使用態様の細目について述べる。
【００１５】
綿棒による皮膚または粘膜の創傷部位等の消毒作業は、通常、同時に２本を用いて行なうことがないので、先ず、消毒液含浸綿棒パッケージ１０から１本の綿棒２０を取り出して使用する。綿棒２０の取り出しは、液漏れを防ぐために、袋１２を縦姿勢（Ｄ辺を上にした姿勢）で行なう。綿棒２０の取り出し手順を以下に示す。
（１）破断容易線１８に沿って、切り口１４、１６に対応する位置まで破断する。
（２）既に破断させた破断容易線１８の末端位置で、切り口１４、１６のうちいずれか一方の側に向って横方向（図中の矢印とは逆方向）に、破断（切断）を行なう。この時、綿棒２０の掴み部２４が邪魔になって、所定の切り口まで破断を進行させることができないので、破断を途中位置（掴み部２４位置）で止める。
（３）次に、前記で選択した側の切り口から横方向（図中の矢印方向）に破断を進め、前記破断を中断した位置まで破断を続行する。綿棒２０の掴み部２４は、適宜、その横方向位置を変位させることができるので、前記項目（２）で開始した横方向の破断を完結させることができる。
（４）袋１２の一部が切り離された状態になった、その袋部分を取り除くことなく、そのまま、切り離された袋部分ごと、一方の綿棒２０の掴み部２４を把持し、その綿棒２０を袋本体から取り出す。
（５）取り出した綿棒２０による消毒作業を終え、残る綿棒２０を用いた消毒作業を行なうには、切り口１４、１６の他方に対応して、前記と同様な操作を繰り返し、残る綿棒２０を袋本体から取り出す。
【００１６】
図示された袋１２のように、Ｃ辺側で内室を狭めておくと、綿球２２に含浸させた消毒液を上回って余剰分として袋内に存在する消毒液が、縦姿勢の袋１２の下端溜まり部（Ｃ辺部）に効率良く集合し、綿球２２の消毒液含浸量を消毒処置に必要な最大限にすることができる。
【００１７】
変形形態として、前記のようなＡ、Ｂ辺に沿う３角形状の密封接合帯域と違って、Ａ、Ｂ辺に沿う密封接合（加熱シーリング）を単純な直線状にしてもよい。
【図面の簡単な説明】
【００１８】
【図１】本考案の一実施例に係わる消毒液含浸綿棒パッケージの正面図。
【符号の説明】
【００１９】
１０  消毒液含浸綿棒パッケージ
１２  袋
１４  切り口（切り欠き）
１６  切り口（切り欠き）
１８  破断容易線
２０  綿棒
２２  綿球
２４  掴み部
Ａ  袋１２の辺
Ｂ  袋１２の辺
Ｃ  袋１２の辺
Ｄ  袋１２の辺
Ｅ  境界帯域
【図１】
0003108166.tif 000003